(57)【要約】【課題】様々な状況においても、安定した状態で使用者に視認しやすい状態で通知対象のデータの通知ができるようにする。【解決手段】設定データ通知部１０７は、使用者に対する通知対象として設定されたデータを、メール機能部１０４が受信可能な電子メールの形式の通知データに変換して設定されている日時に出力する。内部メール送受信部１０８は、設定データ通知部１０７が出力した通知データを、設定データ通知部１０７を発信元として自装置内でメール機能部１０４に宛てて送出する。【選択図】  図１
2011071699.tif 000002
【特許請求の範囲】
【請求項１】
携帯電話網を介した通話を行う通話機能部と、
前記携帯電話網を介した電子メールの送受信を行うメール機能部と、
このメール機能部により受信された電子メールの着信を、表示，発音，および振動の少なくとも１つを含む通知方法により使用者に対する通知を行う受信通知機能部と、
前記メール機能部が受信した電子メールを前記使用者に視認可能に表示する表示部と、
前記使用者に対する通知対象として設定されたデータを、前記メール機能部が受信可能な電子メールの形式の通知データに変換して設定されている日時に出力する設定データ通知手段と、
この設定データ通知手段が出力した前記通知データを、前記設定データ通知手段を発信元として自装置内で前記メール機能部に宛てて送出する内部メール送受信手段と
を少なくとも備えることを特徴とする携帯電話機。
【請求項２】
請求項１記載の携帯電話機において、
前記設定データ通知手段が出力した前記通知データを、前記通話機能部で受話可能な音声データに変換して自装置内で前記通話機能部に送出する内部通話手段
を備えることを特徴とする携帯電話機。
【請求項３】
請求項１または２記載の携帯電話機において、
前記設定データ通知手段は、前記通知データの出力を、設定されている周期で設定されている回数行う
ことを特徴とする携帯電話機。
【請求項４】
請求項３記載の携帯電話機において、
前記内部メール送受信手段は、前記メール機能部に宛てて送出した前記通知データに対する返信を受け付けて、受け付けた返信を前記設定データ通知手段に通知し、
前記設定データ通知手段は、前記返信の通知を受け付けて前記通知データの出力を停止する
ことを特徴とする携帯電話機。
【請求項５】
請求項１〜４のいずれか１項に記載の携帯電話機において、
前記使用者に対する通知対象として設定されたデータは、スケジュールであり、
前記設定されている日時は、前記スケジュールに設定されている日時である
ことを特徴とする携帯電話機。
【請求項６】
請求項１〜５のいずれか１項に記載の携帯電話機において、
前記使用者に対する通知対象として設定されたデータは、不在着信の通知であり、
前記設定されている日時は、前記不在着信がなされた時点より設定されている時間後の日時である
ことを特徴とする携帯電話機。
【請求項７】
請求項１〜６のいずれか１項に記載の携帯電話機において、
前記使用者に対する通知対象として設定されたデータは、アラームデータであり、
前記設定されている日時は、前記アラームデータに設定されている日時である
ことを特徴とする携帯電話機。
【発明の詳細な説明】
【技術分野】
【０００１】
本発明は、スケジュール機能を備えた携帯電話機に関するものである。
【背景技術】
【０００２】
近年の携帯電話は、電話機能以外に様々な機能が搭載されて多機能になっている。これらの機能の中に、スケジュール機能がある（特許文献１）。携帯電話のスケジュール機能では、一般的に登録・指定した時刻に、例えばアラームによる通知がされるようになっている。しかしながら、携帯電話機のスケジュール機能は、一般的な使用者にとって使い慣れた機能ではないため、所期の効果が発揮されていない場合がある。
【０００３】
これに対し、サーバにスケジュールを登録し、登録されたスケジュールをサーバの側で管理し、期日などの通知を、利用者の携帯電話機などに対する音声メッセージや電子メールにより行う技術が提案されている（特許文献１，２参照）。メール機能や通話機能は、携帯電話の機能として最も一般的であり、使用者にとって使い慣れた機能であるため、スケジュールの管理に利用することで、所期のスケジュール機能を効果的に発揮させることが可能となる。
【先行技術文献】
【特許文献】
【０００４】
【特許文献１】特開２００６−３２３５５０号公報
【特許文献２】特開２００８−２５７６７５号公報
【発明の概要】
【発明が解決しようとする課題】
【０００５】
しかしながら、上述した技術では、まず、スケジュールの登録やスケジュールの通知を受けるために、ネットワークを介したサーバとの接続が必要となる。このため、通信費が発生する。また、当然ながら、電波状態が悪いなどにより通信が確立できない状況では、利用することができない。通信が不可能な状況でスケジュールの期日となった場合、スケジュール機能が全く果たせないことになる。また、他からのアクセスが可能なネットワーク上のサーバにスケジュールが登録されるため、秘密の保持が容易ではない。このように、上述した技術では、スケジュールなどの使用者に対する通知対象として設定されたデータが、安定した状態で使用者に視認しやすい状態で通知することができないという問題があった。
【０００６】
本発明は、以上のような問題点を解消するためになされたものであり、様々な状況においても、安定した状態で使用者に視認しやすい状態で通知対象のデータの通知ができるようにすることを目的とする。
【課題を解決するための手段】
【０００７】
本発明に係る携帯電話機は、携帯電話網を介した通話を行う通話機能部と、携帯電話網を介した電子メールの送受信を行うメール機能部と、このメール機能部により受信された電子メールの着信を、表示，発音，および振動の少なくとも１つを含む通知方法により使用者に対する通知を行う受信通知機能部と、メール機能部が受信した電子メールを使用者に視認可能に表示する表示部と、使用者に対する通知対象として設定されたデータを、メール機能部が受信可能な電子メールの形式の通知データに変換して設定されている日時に出力する設定データ通知手段と、この設定データ通知手段が出力した通知データを、設定データ通知手段を発信元として自装置内でメール機能部に宛てて送出する内部メール送受信手段とを少なくとも備える。
【発明の効果】
【０００８】
以上説明したように、本発明によれば、使用者に対する通知対象として設定されたデータを、自装置のメール機能部が受信可能な電子メールの形式の通知データに変換して設定されている日時に出力するようにしたので、様々な状況においても、安定した状態で使用者に視認しやすい状態で通知対象のデータの通知ができるようになるという優れた効果が得られる。
【図面の簡単な説明】
【０００９】
【図１】本発明の実施の形態１における携帯電話機の構成を示す構成図である。
【図２】実施の形態１における携帯電話機の動作を説明するフローチャートである。
【図３】本発明の実施の形態２における携帯電話機の構成を示す構成図である。
【図４】電子メールの形式の通知データの構成を示す構成図である。
【図５】リマインダー情報を設定するための設定画面の構成を示す構成図である。
【図６】実施の形態２における携帯電話機の動作を説明するフローチャートである。
【発明を実施するための形態】
【００１０】
以下、本発明の実施の形態について図を参照して説明する。
【００１１】
［実施の形態１］
はじめに、本発明の実施の形態１について図１を用いて説明する。図１は、本発明の実施の形態１における携帯電話機の構成を示す構成図である。この携帯電話機は、まず、現在市販されている一般的な携帯電話機と同様に、アンテナ１０１，送受信部１０２，通話機能部１０３，メール機能部１０４，受信通知機能部１０５，および表示部１０６を備える。
【００１２】
通話機能部１０３は、携帯電話網を介した他の携帯電話機や固定電話機との通話制御を行う。メール機能部１０４は、上記携帯電話網を介した電子メールの送受信を行う。携帯電話網との接続は、送受信部１０２およびアンテナ１０１を介した無線通信により行う。また、受信通知機能部１０５は、メール機能部１０４により受信された電子メールの着信を、表示，発音，および振動の少なくとも１つを含む通知方法により使用者に対する通知を行う。また、表示部１０６は、例えば、メール機能部１０４が受信した電子メールを使用者に視認可能に表示する。また、表示部１０６には、例えば、利用者による操作の受け付けの状態および通信の状態など、携帯電話機における各種の状態が表示される。
【００１３】
上述した構成に加え、本実施の携帯電話機は、設定データ通知部１０７および内部メール送受信部１０８を備える。設定データ通知部１０７は、使用者に対する通知対象として設定されたデータを、メール機能部１０４が受信可能な電子メールの形式の通知データに変換して設定されている日時に出力する。使用者に対する通知対象として設定されたデータは、例えば、スケジュール，不在着信の通知，時計機能におけるアラームデータなどである。また、内部メール送受信部１０８は、設定データ通知部１０７が出力した通知データを、設定データ通知部１０７を発信元として自装置内でメール機能部１０４に宛てて送出する。内部メール送受信部１０８は、例えば、よく知られたメールサーバの機能を備えるものである。
【００１４】
次に、本実施の形態における携帯電話機の動作例について、図２のフローチャートを用いて説明する。まず、携帯電話機において使用者に対する通知対象としてのデータが設定されると（ステップＳ２０１）、設定データ通知部１０７が、設定されたデータを、メール機能部１０４において受信可能な電子メールの形式の通知データに変換する（ステップＳ２０２）。次に、設定データ通知部１０７は、設定されている日時になると（ステップＳ２０３）、変換した通知データを出力する。このようにして電子メール形式とされた通知データが出力されると、内部メール送受信部１０８が、出力された通知データを、設定データ通知部１０７を発信元として自装置内でメール機能部１０４に宛てて送出する（ステップＳ２０４）。
【００１５】
以上のようにしてメール機能部１０４に送出された通知データは、メール機能部１０４で受信される（ステップＳ２０５）。次いで、受信通知機能部１０５が、メール機能部１０４で受信された電子メールの着信を、所定の通知方法により使用者に対する通知を行う（ステップＳ２０６）。例えば、表示部１０６に「メール着信あり」などの表示をし、また、所定の音や音楽などを出力する。また、携帯電話機より振動を発生するようにしてもよい。
【００１６】
この後、使用者の操作により、着信メールの表示指示が入力されると（ステップＳ２０７）、メール機能部１０４は、電子メールとして受信（着信）した通知データを、表示部１０６に表示出力する（ステップＳ２０８）。これらのことにより、使用者に対する通知対象として設定されたデータが、設定された日時に、電子メールとして使用者に視認可能な状態となる。
【００１７】
以上に説明したように、本実施の形態によれば、使用者に対する通知対象として設定されたデータ（通知データ）が、使用者により視認しやすい電子メールの形式で通知されるようになる。また、通知データは、設定データ通知部１０７を発信元として自装置内でメール機能部１０４に宛てて送出されるので、携帯電話機が携帯電話網と接続できない状態でも、データの通知が可能であり、様々な状況においても、安定した状態で使用者に視認しやすい状態で通知対象のデータの通知ができる。また、通知データは、携帯電話機より外部に送出されることがないので、高い秘密保持性が確保可能である。
【００１８】
［実施の形態２］
次に、本発明の実施の形態２について図３を用いて説明する。図３は、本発明の実施の形態２における携帯電話機の構成を示す構成図である。この携帯電話機は、まず、現在市販されている一般的な携帯電話機と同様に、アンテナ３０１，送受信部３０２，通話機能部３０３，メール機能部３０４，受信通知機能部３０５，スケジュール機能部３０６，表示部３０７，および操作部３０８を備える。
【００１９】
通話機能部３０３は、携帯電話網を介した他の携帯電話機や固定電話機との通話制御を行う。メール機能部３０４は、上記携帯電話網を介した電子メールの送受信を行う。携帯電話網との接続は、送受信部３０２およびアンテナ３０１を介した無線通信により行う。また、受信通知機能部３０５は、メール機能部３０４により受信された電子メールの着信を、表示，発音，および振動の少なくとも１つを含む通知方法により使用者に対する通知を行う。また、受信通知機能部３０５は、通話機能部３０３による着呼を、表示，発音，および振動の少なくとも１つを含む通知方法により使用者に対する通知を行う。例えば、電子メールの着信を、ブザーやメロディーなどの発音により通知する。また、着呼を、携帯電話機に備えられているＬＥＤを点灯させるなど、発光により通知する。
【００２０】
スケジュール機能部３０６は、使用者より入力されたスケジュールを記憶するなどの管理を行う。表示部３０７は、例えば、メール機能部３０４が受信した電子メールを使用者に視認可能に表示する。また、表示部３０７には、例えば、利用者による操作部３０８の操作の受け付けの状態および通信の状態など、携帯電話機における各種の状態が表示される。操作部３０８は、例えば、数字キー，電源キー，通話開始キー，機能選択キー，電話帳機能呼び出しキー，および電子メール機能起動キーなどを備えている。例えば、機能選択キーによりスケジュールを登録可能なスケジュール機能が選択でき、この選択によりスケジュール機能部３０６が起動する。
【００２１】
上述した構成に加え、本実施の携帯電話機は、スケジュール通知部（設定データ通知手段）３０９，内部メール送受信部３１０，および内部通話部３１１を備える。
【００２２】
スケジュール通知部３０９は、使用者に対する通知対象として設定されたスケジュールを、メール機能部３０４が受信可能な電子メールの形式の通知データに変換して設定されている日時に出力する。スケジュール通知部３０９は、後述するように、設定に従って、内部メール送受信部３１０もしくは内部通話部３１１に対して通知データを出力する。
【００２３】
内部メール送受信部３１０は、スケジュール通知部３０９が出力した通知データを、スケジュール通知部３０９を発信元として自装置内でメール機能部３０４に宛てて送出する。内部メール送受信部３１０は、例えば、よく知られたメールサーバの機能を備えるものである。
【００２４】
通知データは、例えば、表示部３０７に図４に示すような電子メールの形式で表示されるテキストデータから構成されている。題名を示す「Sub」には、スケジュールの通知を示す「Reminder」が記述され、送信元を示す「Fm」には、スケジュールの通知であることを示す「Scheduler」が記述される。ここで、送信元の「Scheduler」は、実際には「scheduler@local」などの、内部メール送受信部３１０が、通知データを携帯電話機内で電子メールとして送信するときに用いるメールアドレスが使用される。「scheduler@local」は、メール機能部３０４が、スケジュール通知部３０９から受け付けた通知データの電子メールに対して返信を行う場合に用いられる。一方、スケジュール通知部３０９からメール機能部３０４宛てに通知データをメール送信する場合には、送信先のメールアドレスとして、例えば、「mailer@local」が用いられる。
【００２５】
内部通話部３１１は、スケジュール通知部３０９が出力した電子メール形式の通知データを、通話機能部３０３で受話可能な音声データに変換して自装置内で通話機能部３０３に送出する。従って、スケジュール通知部３０９が通知データを内部通話部３１１に出力すると、携帯電話機は、通話機能部３０３が受話した状態となり、通知データを構成しているテキストを読み上げた音声データが、携帯電話機を用いた通話の状態で、使用者に対して出力される。
【００２６】
ここで、本実施の形態における携帯電話機では、スケジュール機能部３０６が、リマインダー情報を記憶する。例えば、表示部３０７に表示される図５に示す設定画面により、リマインダー情報が設定できる。このリマインダー情報としては、スケジュールの通知方法を規定するリマインダー種別、スケジュールの通知時期を規定するリマインダー期間、およびスケジュールの通知回数を規定するリマインダー回数などが設定できる。
【００２７】
リマインダー種別としては、例えば、内部メール送受信部３１０による電子メールによる通知方法「メール」、もしくは、内部通話部３１１による音声データを用いた電話機能による通知方法「電話」が選択可能とされている。また、リマインダー期間としては、例えば、「当日」，「１日前」，「１週間前」，「１ヶ月前」が選択可能とされている。また、リマインダー回数としては、「１回」，「毎日」などが選択可能とされている。
【００２８】
スケジュール通知部３０９は、スケジュール機能部３０６に設定されているリマインダー情報をもとに、スケジュールを電子メールの形式に変換した通知データを出力する。例えば、リマインダー種別が「メール」とされ、リマインダー期間が「１日前」とされ、リマインダー回数が「１回」とされていた場合、スケジュール通知部３０９は、内部メール送受信部３１０に対し、スケジュールに設定されている期日の１日前に通知データを出力する。
【００２９】
また、例えば、リマインダー種別が「メール」とされ、リマインダー期間が「１週間前」とされ、リマインダー回数が「毎日」とされていた場合、スケジュール通知部３０９は、部メール送受信部３１０に対し、スケジュールに設定されている期日の１週間前より毎日通知データを出力する。また、リマインダー種別が「電話」とされ、リマインダー期間が「当日」とされ、リマインダー回数が「１回」とされていた場合、スケジュール通知部３０９は、内部通話部３１１に対し、スケジュールに設定されている期日に通知データを出力する。
【００３０】
また、リマインダー種別が「メール」とされ、リマインダー情報としてリマインダー回数が「毎日」と設定されている場合、スケジュール通知部３０９は、次に示すように、メール機能部３０４に送信された通知データの電子メールに対する返信を受け付けることで、通知データの出力を停止する。
【００３１】
図６のフローチャートに示すように、スケジュールに設定された期日に対するリマインダー期間に設定された日時になると（ステップＳ６０１）、スケジュール通知部３０９は、内部メール送受信部３１０に対して通知データを出力する。これにより、内部メール送受信部３１０は、スケジュール通知部３０９を発信元（例えばscheduler@local）とした電子メール（リマインダー通知）を、自装置内でメール機能部３０４宛て（例えばmailer@local）に送出する（ステップＳ６０２）。
【００３２】
このようにして送出されたリマインダー通知（通知データ）は、メール機能部３０４で受信され、受信通知機能部３０５により、所定の通知方法により使用者に対する通知がなされる。この後、使用者の操作による着信メールの表示指示の入力により、メール機能部３０４が、電子メールとして着信したリマインダー通知を、表示部３０７に表示出力する。次に、この表示出力を見た使用者の操作により、着信したメールとしてのリマインダー通知に対して返信がなされると、この返信は、内部メール送受信部３１０が受け付ける。
【００３３】
以上のようにして、内部メール送受信部３１０が返信を受け付けると（ステップＳ６０３のＹ）、スケジュール通知部３０９は、通知データの出力を停止する（ステップＳ６０４）。
【００３４】
以上に説明したように、本実施の形態によれば、使用者に対する通知対象として設定されたデータ（通知データ）が、使用者により視認しやすい電子メールの形式や、通話の状態で音声データとして通知されるようになる。また、通知データは、スケジュール通知部３０９を発信元として自装置内でメール機能部３０４に宛てて送出され、また、通話機能部３０３に対して音声データとして送出されるので、携帯電話機が携帯電話網と接続できない状態でも、データの通知が可能であり、様々な状況においても、安定した状態で使用者に視認しやすい状態で通知対象のデータの通知ができる。また、通知データは、携帯電話機より外部に送出されることがないので、高い秘密保持性が確保可能である。
【００３５】
なお、本発明は以上に説明した実施の形態に限定されるものではなく、本発明の技術的思想内で、当分野において通常の知識を有する者により、多くの変形例が実施可能であることは明白である。
【００３６】
例えば、不在着信通知を、使用者に対する通知対象として設定されたデータとし、上述した電子メール形式の通知データに変換して通知するようにしてもよい。同様に、目覚まし時計機能部より通知されるアラームを、使用者に対する通知対象として設定されたデータとし、アラームデータに設定されている時刻（日時）に、上述した電子メール形式の通知データに変換して通知するようにしてもよい。
【００３７】
また、メール機能部によるメール送信機能を用い、携帯電話機内部に組み込まれている各機能部に対し、設定情報を電子メールとして送信して設定するようにしてもよい。例えば、メール本文に日付と時間を記述し、この電子メールを携帯電話機内部の目覚まし時計機能部に送信する。これにより、設定情報を電子メールとして受け付けた目覚まし時計機能部では、受け付けた電子メールの記述に従って、指定時刻の設定などの各設定を行う。各機能をコントロールするためのメール記載方法などは、メールテンプレート等を準備することで簡単に記述することができる。
【００３８】
また、目覚まし時計機能部においては、設定の可否を、使用者に対する通知対象として設定されたデータとし、電子メール形式の通知データに変換してメール機能部に対して送信してもよい。これにより、使用者は、設定の可否をメール機能で確認することができる。また、携帯電話機が備えている機能を推奨するために、各機能より電子メール形式の機能紹介データを、使用者に対する通知対象として設定されたデータとし、メール機能部に対して送信してもよい。これにより、携帯電話内の機能の紹介や起動方法の通知などが、受信メールとして使用者に提案、紹介することができる。
【００３９】
上述した携帯電話機は、ＣＰＵと主記憶装置と外部記憶装置とネットワーク接続装置となどを備えたいわゆるコンピュータ機器であり、主記憶装置に展開されたプログラムによりＣＰＵが動作することで、上述した各機能が実現される。
【符号の説明】
【００４０】
１０１…アンテナ、１０２…送受信部、１０３…通話機能部、１０４…メール機能部、１０５…受信通知機能部、１０６…表示部、１０７…設定データ通知部、１０８…内部メール送受信部。
【図１】
2011071699.tif 000003
【図２】
2011071699.tif 000004
【図３】
2011071699.tif 000005
【図４】
2011071699.tif 000006
【図５】
2011071699.tif 000007
【図６】
2011071699.tif 000008